【事件の表示】
　特許第３２５７６４６号「レーザービームプリンター」の請求項１、７に係る特許に対する特許異議の申立てについて、次のとおり決定する。
【結　論】
　訂正を認める。
　特許第３２５７６４６号の請求項６に係る特許を維持する。
【理　由】
１．手続の経緯
　
　本件特許第３２５７６４６号の請求項１乃至８に係る発明についての出願は、平成５年４月５日に特許出願され、平成１３年１２月７日にその特許権の設定の登録がなされ、請求項１及び７に係る特許について、武田政子より特許異議の申立てがなされ、取消理由通知がなされ、その指定期間内である平成１５年１月６日に訂正請求がなされ、その後、申立人武田政子に対して審尋がなされ、その指定期間内の平成１５年２月２７日に回答書が提出されたものである。
　
２．訂正の適否
　
（１）特許権者が求めている訂正の内容は、以下のとおりである。
ａ．訂正事項ａ
　特許請求の範囲の請求項１を削除する。　
　
ｂ．訂正事項ｂ
　特許請求の範囲の請求項２を請求項１とし、その記載を次のとおりとする。
「複数のレーザービームがそれぞれ異なる感光体の露光用であって、レーザービームが一緒に偏向された後に分離され、それぞれ対応する感光体に照射されて画像を形成するレーザービームプリンターにおいて、
　複数のレーザービームを出射するレーザーアレイと、
　該レーザーアレイからの複数のレーザービームを共通に偏向する偏向手段と、
　該偏向手段により偏向された複数のレーザービームを前記複数の感光体の配列方向に関して互いに異なる方向に分離する手段と、
　該分離する手段により分離された複数のレーザービームを前記複数の感光体のそれぞれに照射させる手段とを備え、
　前記分離手段が、前記複数の感光体の数に対応した数の互いに異なった角度の入射面を有するプリズムであることを特徴とするレーザービームプリンター。」
　
ｃ．訂正事項ｃ
　特許請求の範囲の請求項３を請求項２とし、その記載を次のとおりとする。
「複数のレーザービームがそれぞれ異なる感光体の露光用であって、レーザービームが一緒に偏向された後に分離され、それぞれ対応する感光体に照射されて画像を形成するレーザービームプリンターにおいて、
　複数のレーザービームを出射するレーザーアレイと、
　該レーザーアレイからの複数のレーザービームを共通に偏向する偏向手段と、
　該偏向手段により偏向された複数のレーザービームを分離する手段と、
　該分離する手段により分離された複数のレーザービームを前記感光体に照射させる手段と、
　前記レーザーアレイからの複数のレーザービームを前記感光体上に収束させる光学系であって前記レーザーアレイの出射面と前記分離する手段とが光学的に共役である光学系を備えていることを特徴とするレーザービームプリンター。」
  
ｄ．訂正事項ｄ
　特許請求の範囲の請求項４を請求項３とし、その記載を次のとおりとする。
「前記感光体は複数個設けられており、該複数個の感光体が用紙搬送経路に沿って配列されていることを特徴とする請求項２記載のレーザービームプリンター。」
　
ｅ．訂正事項ｅ
　特許請求の範囲の請求項５を請求項４とし、その記載を次のとおりとする。
「前記分離する手段が、前記偏向手段により偏向された複数のレーザービームを前記複数の感光体の配列方向に関して互いに異なる方向に分離するものである請求項３記載のレーザービームプリンター。」
　
ｆ．訂正事項ｆ
　特許請求の範囲の請求項６を請求項５とし、その記載を次のとおりとする。
「複数のレーザービームがそれぞれ異なる感光体の露光用であって、レーザービームが一緒に偏向された後に分離され、それぞれ対応する感光体に照射されて画像を形成するレーザービームプリンターにおいて、
　複数のレーザービームを出射するレーザーアレイと、
　該レーザーアレイからの複数のレーザービームを共通に偏向する偏向手段と、
　該偏向手段により偏向された複数のレーザービームを分離する手段と、
　該分離する手段により分離された複数のレーザービームの光路中に設けられ前記レーザーアレイから前記複数の感光体までの光路長を一致させるための光路調整手段とを備えていることを特徴とするレーザービームプリンター。」
　
ｇ．訂正事項ｇ
　特許請求の範囲の請求項７を請求項６とし、その記載を次のとおりとする。
「複数本を一組とし、それぞれのレーザービームの組がそれぞれ異なる感光体の露光用であって、組とされたレーザービームを照射するレーザー素子の間隔がｒ１とされ、隣接するレーザー素子の間隔がｒ１ とｒ３の二通りがあり、ｒ３＞ｒ１の関係とされており、レーザービームが一緒に偏向された後に分離され、それぞれ対応する感光体に照射されて画像を形成するレーザービームプリンターにおいて、
　複数のレーザービームを出射するレーザーアレイと、
　該レーザーアレイからの複数のレーザービームを共通に偏向する偏向手段と、
　該偏向手段により偏向された複数のレーザービームを前記複数の感光体の配列方向に関して互いに異なる方向に分離する手段と、
　該分離する手段により分離された複数のレーザービームを前記複数の感光体のそれぞれに照射させる手段とを備え、
　同一の感光体に照射されるレーザービームが複数本であることを特徴とするレーザビームプリンター。」
　
ｈ．訂正事項ｈ
　特許請求の範囲の請求項８を請求項７とし、その記載を次のとおりとする。
「複数本を一組とし、それぞれのレーザービームの組がそれぞれ異なる感光体の露光用であって、レーザービームが一緒に偏向された後に分離され、それぞれ対応する感光体に照射されて画像を形成するレーザービームプリンターにおいて、
　複数のレーザービームを出射するレーザーアレイと、
　該レーザーアレイからの複数のレーザービームを共通に偏向する偏向手段と、
　該偏向手段により偏向された複数のレーザービームを分離する手段と、
　該分離する手段により分離された複数のレーザービームを前記感光体に照射させる手段と、
　前記レーザーアレイからの複数のレーザービームを前記感光体上に収束させる光学系であって前記レーザーアレイからの出射面と前記分離する手段とが光学的に共役である光学系を備え、
　同一の感光体に照射されるレーザービームが複数本であることを特徴とするレーザービームプリンター。」
　
ｉ．訂正事項ｉ
　段落【０００９】を、
「【課題を解決するための手段】上記課題を解決するために、本発明は、複数のレーザービームがそれぞれ異なる感光体の露光用であって、レーザービームが一緒に偏向された後に分離され、それぞれ対応する感光体に照射されて画像を形成するレーザービームプリンターにおいて、複数のレーザービームを出射するレーザーアレイと、該レーザーアレイからの複数のレーザービームを共通に偏向する偏向手段と、該偏向手段により偏向された複数のレーザービームを前記複数の感光体の配列方向に関して互いに異なる方向に分離する手段と、該分離する手段により分離された複数のレーザービームを前記複数の感光体のそれぞれに照射させる手段とを備え、前記分離手段が、前記複数の感光体の数に対応した数の互いに異なった角度の入射面を有するプリズムであることを特徴とする。」
と訂正する。
　
（２）訂正の目的の適否、新規事項の有無、及び特許請求の範囲の拡張・変更の存否
　ア．訂正事項ａについて
　上記訂正事項ａは、特許請求の範囲の減縮を目的とした明細書の訂正に該当し、新規事項の追加に該当せず、実質上特許請求の範囲を拡張し、又は変更するものではない。
　
  イ．訂正事項ｂについて
  訂正事項ｂは、訂正前請求項１を引用している訂正前請求項２を独立形式に書き換えると共に、その際に、訂正前請求項２において、「前記分離手段が、前記複数の感光体の数に対応した数の互いに異なった角度の入射面を有するプリズムであること」と記載される一方、訂正前請求項１において「前記分離手段が、前記複数の感光体の数に対応した数の互いに異なった角度の反射面を有する反射鏡であること」と記載されていたために、訂正前請求項２における分離手段の構成が明りょうでなかった記載の不備を解消し、
さらに、上記訂正事項ａに付随的に生じる記載の不備を解消するために請求項の項番を繰り上げると共に、訂正前請求項２に記載の「レーザービームプインター」という明らかな誤記を、発明の名称「レーザービームプリンター」と整合させるものであるから、明りょうでない記載の釈明を目的とした明細書の訂正に該当し、新規事項の追加に該当せず、実質上特許請求の範囲を拡張し、又は変更するものではない。
　
　ウ．訂正事項ｃ、ｆ及びｈについて
　訂正事項ｃ、ｆ及びｈは、上記訂正事項ａに付随的に生じる記載の不備を解消するために請求項の項番を繰り上げ、さらに、訂正前請求項３、６及び８に記載の「レーザービームプインター」という明らかな誤記を、発明の名称「レーザービームプリンター」と整合させるものであるから、明りょうでない記載の釈明を目的とした明細書の訂正に該当し、新規事項の追加に該当せず、実質上特許請求の範囲を拡張し、又は変更するものではない。
　
　エ．訂正事項ｄ及びｅについて
　訂正事項ｄ及びｅは、上記訂正事項ａに付随的に生じる記載の不備を解消するために請求項の項番を繰り上げるものであるから、明りょうでない記載の釈明を目的とした明細書の訂正に該当し、新規事項の追加に該当せず、実質上特許請求の範囲を拡張し、又は変更するものではない。
　
　オ．訂正事項ｇについて
　訂正事項ｇに関連する記載として、願書に添付した明細書には「グループ内では半導体レーザー素子はｒ１の間隔で並び、各グループはｒ２の間隔（周期）で並んでいる。隣接する半導体レーザー素子の間隔はｒ１とｒ３の二通りがあり、ｒ３＞ｒ１である。」（段落【００４２】）が記載されている。
  してみると、訂正事項ｇは、上記訂正事項ａに付随的に生じる記載の不備を解消するために請求項の項番を繰り上げると共に、訂正前請求項７に記載の「レーザービームプインター」という明らかな誤記を、発明の名称「レーザービームプリンター」と整合させ、さらに訂正前請求項７に記載の「レーザーアレイ」を、組とされたレーザービームを照射するレーザー素子の間隔がｒ１とされ、隣接するレーザー素子の間隔がｒ１ とｒ３の二通りがあり、ｒ３＞ｒ１の関係とされている旨限定するものであるから、明りょうでない記載の釈明及び特許請求の範囲の減縮を目的とした明細書の訂正に該当し、新規事項の追加に該当せず、実質上特許請求の範囲を拡張し、又は変更するものではない。
　
（４）独立特許要件の判断
　特許異議の申立てがされていない訂正前の請求項２乃至６、及び８について訂正されているので、それらにそれぞれ対応する訂正明細書の請求項１乃至５、及び７に係る発明について、独立特許要件の判断をする。
　
（４−１）訂正明細書の請求項１乃至５、及び７に係る発明
　訂正明細書の請求項１乃至５、及び７に係る発明は、訂正明細書の特許請求の範囲の請求項１乃至５、及び請求項７に記載されたとおりのものである（以下、それぞれ「訂正後発明１」、「訂正後発明２」、「訂正後発明３」、「訂正後発明４」、「訂正後発明５」、「訂正後発明７」という。）。
　
（４−２）先願明細書及び引用刊行物の記載事項
　当審が平成１４年１０月２４日付けで通知した取消理由に引用した先願（本件出願の出願日より前の１９９２年８月１７日〔優先日〕にアメリカにした特許出願に基づいて優先権主張をして平成５年６月２３日に出願され、本件出願後に出願公開された特願平５−１５２５０７号）の願書に最初に添付された明細書又は図面（以下、「先願明細書」という。）、及び、刊行物１乃至３には、以下の記載がある。
　
［先願明細書］
・「感光性表面上に静電潜像画像の実質的同時生成のためのシステムであって、それぞれが複数の収束サブビームの形状をなす実質的に平行な複数の書き込みビームを生成するための供給源を有し、上記供給源は画像データにしたがって独立して各書き込みビームを制御するための手段と、各書き込みビーム内の少なくともサブビームのサブセットの相対強度を調節するための手段を含み、更に、上記感光性表面に向かって各書き込みビームを誘導するための手段を有するシステム。」（特許請求の範囲の請求項１）
・「図１では本発明によるデジタルデータ供給源からのフルカラー静電印刷用光学素子の配置を示す。一般に、図示したものは、それぞれが別の原色で現像可能な４つの別個のドラム型感光体を用いた「タンデム構造」を有するフルカラー電子写真式印刷装置で、それぞれの感光体上で現像された画像はこのあと中継ベルトに転写され、また中継ベルトの上に乗っているトナー画像はこの後シート（紙シートなど）に転写されて最終印刷物を形成する。ここで解説する概念は、各感光体上の現像された画像がコピーシート上に転写され直接上乗せされて最終印刷物を形成するような、また同様にトナー画像の付着が感光性部材上で直接行なわれるような別の機械設計でも、構成の構造的変化にも等しく適用し得るものであることを理解すべきである。」（段落番号【００１４】）
・「各感光体１８ａ−ｄは感光体上に静電潜像を生成する走査線のラスタの形状でこれへの露光を受光する。各感光体１８ａ−ｄは１つの原色用の現像システムに適合しているので、各感光体の露光を制御するデジタルデータが印刷すべき画像でその原色の潜像に対応するということになる。例えば、黄色を処理する感光体は印刷すべき画像の黄色成分に対応する画像データだけを受光し、したがって黄色を有するトナー粒子で現像されることになる。同じ原理がマゼンタ、シアン、および黒成分にも適用され、それぞれが専用の感光ドラム上に生成される。」（段落番号【００１５】）
・「図１に示した装置の光学系部分を見ると、図１のページ内に走査線経路を生成するため供給源（図示せず）からの収束レーザービームを反射する機能を有する回転多面体１４が図示してある。つまり、本発明の場合には、多面体１４の面により順次反射される単一の収束レーザービームだけを有するのではなく、１２ａ−ｄで図示した４本の実質的に平行な書き込みビームを回転多面体のいろいろな面で同時に反射して、４本の書き込みビーム１２ａ−ｄについて独立し個別の走査線を同時に生成する。多面体１４の面によってビームの方向が変えられると、ビームは単一の投影レンズ３０を通過する。投影レンズ３０は通常のＦｔａｎθ変化率のものでよく、ビーム１２ａ−ｄの走査範囲全体がこれの光学的有効開口部内に留まるように多面体と十分に接近させて装置する。投影レンズ３０の目的は、以下に詳細を解説するようにそれぞれの感光体１８ａ−ｄ上にビーム１２ａ−ｄの全てを同時に合焦させることである。」（段落番号【００１７】）
・「実質的に投影レンズ３０と隣接して多面鏡３２が置かれる。好適実施例において、多面鏡３２は単一の「納屋（ｂａｒｎ）型」反射部材の形状をなし、図示したように個々の書き込みビーム１２ａ−ｄそれぞれをその他のビームから離れて散開させるように配置した面の構成を有している。図示したように多面鏡３２はビームの対１２ａと１２ｂを実質的に１つの方向に、またビーム対１２ｃと１２ｄを実質的に対向する方向に反射し、さらに各ビーム対が小さい角度で離開している。分散したビーム１２ａ−ｄはそれぞれ一連の円柱状レンズ３６ａ−ｄへ誘導され、ここで、ビームの点、走査線、および画像ラスタをそれぞれの感光体１８ａ−ｄ上で構成するために既知の方法により焦点を結ぶようになされる。一般に３８で図示した鏡システムは、多面体１４と感光体１８ａ−ｄの間のビーム１２ａ−ｄの全ての経路長を、実質的にしかし必ずしも正確ではなくとも、それぞれのビームで等しくなるように維持するため必要に応じて提供してもよい。ビームの焦点距離が実質的に等しい場合、単一の投影レンズ３０を全てのビーム１２ａ−ｄについて使用してもよい。この実質的に等しい焦点距離を維持するためのその他の各種方法は当業者には明白であろう。」（段落番号【００１８】）
・「円柱状レンズ３６ａ−ｄはそれぞれの感光体１８ａ−ｄ上に書き込みビーム１２ａ−ｄからのビームスポットを正確に位置決めし配置するために提供される。本明細書ならびに請求項において用いているように、術語「円柱状レンズ」は実質的に１つの方向に沿ってだけ光学倍率を有する光学素子として定義される。この意味において、３６ａ−ｄなどの円柱状レンズはそれに関連する感光体１８ａ−ｄの幅にわたって、つまり図１のページ内に延在する線に沿って延在することになる。好適な円柱状レンズの例は例えば米国特許第４，８０４，９８１号または米国特許第４，８６６，４５９号に示されている。」（段落番号【００１９】）
・「本発明においては、４つの独立して制御可能なビーム１２ａ−ｄや多面体１４の同一面から同時に反射するため、ビームそれ自体においてもまたはそれぞれの感光体１８ａ−ｄの動作においても、それぞれの感光体上の所望の画像の形状への走査線の配置を完全となすのみならず多数の現像された画像が感光体表面１８から中継ベルト５０へ転写される正確な位置決めを確実になすためにも位置的誤差を補償することが重要になる。本発明において、独立したそれぞれの感光体１８ａ−ｄにはそれぞれに専用の円柱状レンズ３６ａ−ｄを提供でき、感光体上に形成されたそれぞれのラスタを、各感光体１８ａ−ｄの動作の質とこれへの走査線の配置の不完全さ例えば通常の機械環境においてみられる機械的歪みや振動に付随するなどの特定の原因に関係なく、独立して調節できる。」（段落番号【００２２】）
・「図８は本システムに組み込んだこのようなシステムのブロック図である。ここでは、４本の書き込みビーム１２ａ−ｄのそれぞれが参照番号９０で示したような４つの隣接するダイオード光源からのサブビームの収束により生成されているのが理解されよう。このグループの４つの収束ダイオードからのこれら４本の収束サブビームは、図８でエンコーダパルスとして図示したここの感光体の動きの信号９４ａ−ｄの適切な処理で導出した対応する感光体の動きの異常検出に応じまた光学検出器７６ａ−ｄそれぞれのタイミングパルス列により示される走査線に沿ったスポットの正確な位置に連動して補償方向転換のために操作される。感光体１８ａ−ｄそれぞれのリアルタイムでの動きについての情報は、例えば各感光体に付随する符号化ロールシステムから収集でき、符号化情報は一定のクロックパルスからの出力と比較される。所定の感光体からの符号化出力と固定クロックパルスとの差分を用いて所定時刻における所定の感光体のビーム操作の範囲を制御する。」（段落番号【００３０】）　
　
［刊行物１：特公平１−４３２９４号公報（異議申立人提出の甲第２号証）］　
「かかる欠点を取り除く為に夫々記録信号により変調された複数のビームにより記録媒体上を同時に走査するものが知られている。この場合、第１図Ａに示す如く、ビームＢ１〜Ｂ４をビームの走査方向ＳＬに対して直角と成る如く配列しておくならば、任意の１つのビームの位置を検出することにより全てのビームの位置を検出出来るので、ビームの変調開始等の制御は極めて容易に行えるものである。」（第１頁第１欄第２６行〜第２欄第５行）
　
［刊行物２：特開平２−５８０１５号公報（異議申立人提出の甲第３号証）］　
「尚、本実施例において４つのレーザー発信器を用いる代わりに第７図に示すような単一素子、所謂モノリシックな基板面７０上に４つの発光部７１〜７４を直線的に副走査方向に配置したマルチビーム発信器１５０を用い第６図（Ａ），（Ｂ）に示すようにして光学系を構成しても良い。第６図（Ａ），（Ｂ）においてはマルチビーム発信器７０からの４つのレーザー光束をコリメーターレンズ１５１で平行光束とした後、シリンドリカルレンズ１５２で光偏光器２の偏向面に導光させている。その後は第１図，第２図（Ａ），（Ｂ），（Ｃ）で示す実施例と同じである。」（第４頁右上欄第６行〜第１７行）
　
［刊行物３：特開平５−８０２６４号公報（異議申立人提出の甲第４号証）］　
「図１は本発明を適用したレーザビームプリンタの構成断面図であり、図２はレーザビームプリンタの光学系の構成斜視図である。このレーザビームプリンタ１はレーザ光源２に２ビームレーザダイオードを用いており、画像信号に基づいてレーザ光源２から発せられた２本のレーザビームは、コリメータレンズ３により平行光にされ、回転するポリゴンミラー４の反射面で反射され、偏向走査される。偏向走査されたレーザビームはｆθレンズ５によって角速度一定の走査速度を感光体ドラム６上で等速で走査するように補正される。その後、２本のレーザビームはビームスプリッタ７によって分離され、夫々、反射手段８，反射手段９によって反射され、感光体６上の別々の場所に照射される。このように作成された２つの静電潜像は、夫々、別々の現像器１０，現像器１１で現像され、公知の画像形成プロセスによって画像が形成される。」（第２頁第２欄第４２行〜第３頁第３欄第７行）
　
（４−３）先願発明の認定
　上記記載を含む先願明細書には、
「複数の書き込み用レーザービーム１２がそれぞれ異なる感光ドラム１８の露光用であって、書き込み用レーザービームが一緒に偏向された後に分離され、それぞれ対応する感光ドラム１８に照射されて画像を形成するレーザービームプリンターにおいて、
　複数の書き込み用レーザービーム１２を出射するダイオード光源９０と、
　該ダイオード光源９０からの複数の書き込み用レーザービーム１２を共通に偏向する回転多面体１４と、
　該回転多面体１４により偏向された複数の書き込み用レーザービーム１２を前記複数の感光ドラム１８の配列方向に関して互いに異なる方向に分離する手段と、
　該分離する手段により分離された複数の書き込み用レーザービーム１２を前記複数の感光ドラム１８のそれぞれに照射させる円柱状レンズ３６及び鏡システム３８とを備え、
　前記分離手段が、多面鏡３２であるレーザービームプリンター。」
（以下「先願発明」という。）が記載されていると認めることができる。
（４−４）対比・判断
　ア．訂正後発明１について
　訂正後発明１と、先願発明とを対比する。
　先願発明の「書き込み用レーザービーム１２」、「感光ドラム１８」、「ダイオード光源９０」、「回転多面体１４」、「多面鏡３２」、「円柱状レンズ３６及び鏡システム３８」は、それぞれの機能に照らしそれぞれ、訂正後発明１の「レーザービーム」、「感光体」、「レーザーアレイ」、「偏向手段」、「分離する手段」、「照射させる手段」に相当する。
　そうすると、訂正後発明１と先願発明とは、
「複数のレーザービームがそれぞれ異なる感光体の露光用であって、レーザービームが一緒に偏向された後に分離され、それぞれ対応する感光体に照射されて画像を形成するレーザービームプリンターにおいて、
　複数のレーザービームを出射するレーザーアレイと、
　該レーザーアレイからの複数のレーザービームを共通に偏向する偏向手段と、
　該偏向手段により偏向された複数のレーザービームを前記複数の感光体の配列方向に関して互いに異なる方向に分離する手段と、
　該分離する手段により分離された複数のレーザービームを前記複数の感光体のそれぞれに照射させる手段とを備えるレーザービームプリンター。」
である点で一致し、次の点で相違する。
　
［相違点］
　分離手段が、訂正後発明１は、複数の感光体の数に対応した数の互いに異なった角度の入射面を有するプリズムであるのに対し、先願発明は、多面鏡である点。
　
  上記相違点について検討するに、先願明細書には、分離手段が、複数の感光体の数に対応した数の互いに異なった角度の入射面を有するプリズムである点について、記載も示唆もされていない。また、この点は、上記刊行物１乃至３にも、記載も示唆もされておらず、当該技術分野において周知技術ではないから、単なる周知技術の置換であるとはいえず、さらに、この点は、複数のレーザービームをそれぞれ所定の角度に高い精度で偏向するための構成である（平成１５年１月６日付け特許異議意見書第４頁第１６行〜第２０行）から、課題解決のための具体化手段における微差であるものともいえない。
　したがって、訂正後発明１は、先願発明と同一であるとはいえない。　
　また、訂正後発明１は、上記刊行物１乃至３に記載されたものと同一といえないばかりでなく、これらから当業者が容易に発明をすることができたものともいえない。
　さらに、他に訂正後発明１が独立して特許を受けることができない理由を発見しない。
　よって、訂正後発明１は、特許出願の際、独立して特許を受けることができるものである。
　
  イ．訂正後発明２について
　訂正後発明２と、先願発明とを対比する。
　先願発明の「書き込み用レーザービーム１２」、「感光ドラム１８」、「ダイオード光源９０」、「回転多面体１４」、「多面鏡３２」、「円柱状レンズ３６及び鏡システム３８」は、それぞれの機能に照らしそれぞれ、訂正後発明２の「レーザービーム」、「感光体」、「レーザーアレイ」、「偏向手段」、「分離する手段」、「照射させる手段」に相当する。
　そうすると、訂正後発明２と先願発明とは、
「複数のレーザービームがそれぞれ異なる感光体の露光用であって、レーザービームが一緒に偏向された後に分離され、それぞれ対応する感光体に照射されて画像を形成するレーザービームプリンターにおいて、
　複数のレーザービームを出射するレーザーアレイと、
　該レーザーアレイからの複数のレーザービームを共通に偏向する偏向手段と、
　該偏向手段により偏向された複数のレーザービームを分離する手段と、
　該分離する手段により分離された複数のレーザービームを前記感光体に照射させる手段とを備えていることを特徴とするレーザービームプリンター。」
である点で一致し、次の点で相違する。
　
［相違点］
　訂正後発明２は、レーザーアレイからの複数のレーザービームを感光体上に収束させる光学系であって前記レーザーアレイの出射面と分離する手段とが光学的に共役である光学系を備えているのに対し、先願発明は、これに相当する構成を有するかどうか明らかではない点。
　
  上記相違点について検討するに、先願明細書には、レーザーアレイからの複数のレーザービームを感光体上に収束させる光学系であって前記レーザーアレイの出射面と分離する手段とが光学的に共役である光学系を備える点について、記載も示唆もされていない。また、この点は、上記刊行物１乃至３にも、記載も示唆もされておらず、当該技術分野において周知技術ではないから、単なる周知技術の付加であるとはいえず、さらに、この点は、レーザーアレイからの複数のレーザービームを、分離する手段において異なった狭い面積に収束し、各レーザービームの分離を容易とするための構成である（訂正明細書の段落【００１３】）から、その構成の有無は、課題解決のための具体化手段における微差であるものともいえない。
　したがって、訂正後発明２は、先願発明と同一であるとはいえない。
　また、訂正後発明２は、上記刊行物１乃至３に記載されたものと同一といえないばかりでなく、これらから当業者が容易に発明をすることができたものともいえない。
　さらに、他に訂正後発明２が独立して特許を受けることができない理由を発見しない。
　よって、訂正後発明２は、特許出願の際、独立して特許を受けることができるものである。
　
　ウ．訂正後発明３について
　訂正後発明３は、訂正後発明２を引用し、その構成要件のすべてを具備するものであるから、訂正後発明２と同様な理由で先願発明と同一であるとはいえない。また、訂正後発明３は、上記刊行物１乃至３に記載されたものと同一といえないばかりでなく、これらから当業者が容易に発明をすることができたものともいえない。
　さらに、他に訂正後発明３が独立して特許を受けることができない理由を発見しない。
　よって、訂正後発明３は、特許出願の際、独立して特許を受けることができるものである。
　
  エ．訂正後発明４について
　訂正後発明４は、訂正後発明３を引用し、その構成要件のすべてを具備するものであるから、訂正後発明３と同様な理由で、先願発明と同一であるとはいえない。また、訂正後発明４は、上記刊行物１乃至３に記載されたものと同一といえないばかりでなく、これらから当業者が容易に発明をすることができたものともいえない。
　さらに、また、他に訂正後発明４が独立して特許を受けることができない理由を発見しない。
　よって、訂正後発明４は、特許出願の際、独立して特許を受けることができるものである。
　
　オ．訂正後発明５について
　訂正後発明５と、先願発明とを対比する。
　先願発明の「書き込み用レーザービーム１２」、「感光ドラム１８」、「ダイオード光源９０」、「回転多面体１４」、「多面鏡３２」、「円柱状レンズ３６及び鏡システム３８」は、それぞれの機能に照らしそれぞれ、訂正後発明２の「レーザービーム」、「感光体」、「レーザーアレイ」、「偏向手段」、「分離する手段」、「照射させる手段」に相当する。
　そうすると、訂正後発明５と先願発明とは、
「複数のレーザービームがそれぞれ異なる感光体の露光用であって、レーザービームが一緒に偏向された後に分離され、それぞれ対応する感光体に照射されて画像を形成するレーザービームプリンターにおいて、
　複数のレーザービームを出射するレーザーアレイと、
　該レーザーアレイからの複数のレーザービームを共通に偏向する偏向手段と、
　該偏向手段により偏向された複数のレーザービームを分離する手段とを備えているレーザービームプリンター。」
である点で一致し、次の点で相違する。
　
［相違点］
　訂正後発明５は、分離する手段により分離された複数のレーザービームの光路中に設けられレーザーアレイから複数の感光体までの光路長を一致させるための光路調整手段を備えているに対し、先願発明は、これに相当する構成を有するかどうか明らかではない点。
　
  上記相違点について検討するに、先願明細書には、分離する手段により分離された複数のレーザービームの光路中に設けられレーザーアレイから複数の感光体までの光路長を一致させるための光路調整手段を備える点について、記載も示唆もされていない。また、この点は、上記刊行物１乃至３にも、記載も示唆もされておらず、当該技術分野において周知技術ではないから、単なる周知技術の付加であるとはいえず、さらに、この点は、各感光体において正確な結像状態を維持して露光を行うための構成である（訂正明細書の段落【００１４】）から、その構成の有無は、課題解決のための具体化手段における微差であるものともいえない。
　したがって、訂正後発明５は、先願発明と同一であるとはいえない。
　また、訂正後発明５は、上記刊行物１乃至３に記載されたものと同一といえないばかりでなく、これらから当業者が容易に発明をすることができたものともいえない。
　さらに、他に訂正後発明５が独立して特許を受けることができない理由を発見しない。
　よって、訂正後発明５は、特許出願の際、独立して特許を受けることができるものである。
　
　カ．訂正後発明７について
　訂正後発明７と、先願発明とを対比する。
　先願発明の「書き込み用レーザービーム１２」、「感光ドラム１８」、「ダイオード光源９０」、「回転多面体１４」、「多面鏡３２」、「円柱状レンズ３６及び鏡システム３８」は、それぞれの機能に照らしそれぞれ、訂正後発明２の「レーザービーム」、「感光体」、「レーザーアレイ」、「偏向手段」、「分離する手段」、「照射させる手段」に相当する。
　そうすると、訂正後発明７と先願発明とは、
「複数のレーザービームがそれぞれ異なる感光体の露光用であって、レーザービームが一緒に偏向された後に分離され、それぞれ対応する感光体に照射されて画像を形成するレーザービームプリンターにおいて、
　複数のレーザービームを出射するレーザーアレイと、
　該レーザーアレイからの複数のレーザービームを共通に偏向する偏向手段と、
　該偏向手段により偏向された複数のレーザービームを分離する手段と、
　該分離する手段により分離された複数のレーザービームを前記感光体に照射させる手段とを備えるレーザービームプリンター。」
である点で一致し、先ず次の点で相違する。
　
［相違点］
　訂正後発明７は、レーザーアレイからの複数のレーザービームを感光体上に収束させる光学系であって前記レーザーアレイの出射面と分離する手段とが光学的に共役である光学系を備えているのに対し、先願発明は、この光学系を備えていない点。
　
  上記相違点について検討するに、先願明細書には、レーザーアレイからの複数のレーザービームを感光体上に収束させる光学系であって前記レーザーアレイの出射面と分離する手段とが光学的に共役である光学系を備える点について、記載も示唆もされていない。また、この点は、上記刊行物１乃至３にも、記載も示唆もされておらず、当該技術分野において周知技術ではないから、単なる周知技術の付加であるとはいえず、さらに、この点は、レーザーアレイからの複数のレーザービームを、分離する手段において異なった狭い面積に収束し、各レーザービームの分離を容易とするための構成である（訂正明細書の段落【００１３】）から、その構成の有無は、課題解決のための具体化手段における微差であるものともいえない。
　したがって、訂正後発明７と先願発明との他の相違点についての検討、判断を示すまでもなく、訂正後発明７は、先願発明と同一であるとはいえない。
　また、訂正後発明７は、上記刊行物１乃至３に記載されたものと同一といえないばかりでなく、これらから当業者が容易に発明をすることができたものともいえない。
　さらに、他に訂正後発明７が独立して特許を受けることができない理由を発見しない。
　よって、訂正後発明７は、特許出願の際、独立して特許を受けることができるものである。
　
（５）訂正の適否のむすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議申立ての概要
　特許異議申立人武田政子は、甲第１号証（特開平６−９５０１７号公報）、甲第２号証（特公平１−４３２９４号公報）、甲第３号証（刊行物２：特開平２−５８０１５号公報）及び甲第４号証（特開平５−８０２６４号公報）を提出して、訂正前の請求項１及び７に係る発明は、優先日が本件の出願日前である特願平５−１５２５０７号（上記甲第１号証はその公開公報である）の願書に最初に添付された明細書又は図面に記載された発明と同一であり、特許法第２９条の２の規定により、特許を受けることができない旨主張している。
　
４．特許異議申立てについての判断
　異議が申立てられた訂正前の請求項１に係る発明は、上記２．で述べたように、訂正（削除）により、存在しないものとなり、同じく、訂正前の請求項７に係る発明は、訂正明細書の請求項６に係る発明となったので、以下、訂正明細書の請求項６に係る発明について検討する。
　
（１）訂正明細書の請求項６に係る発明
　訂正明細書の請求項６に係る発明は、訂正明細書の特許請求の範囲の請求項６に記載されたとおりのものである（上記訂正事項ｇ．参照。以下、「訂正後発明６」という。）。
　
（２）先願明細書及び引用刊行物の記載事項
　先願明細書及び引用刊行物の記載事項は、２．（４−２）で述べたとおりである。
　
（３）先願発明の認定
　先願発明の認定は、２．（４−３）で述べたとおりである。
　
（４）対比・判断
　訂正後発明６と、先願発明とを対比する。
　先願発明の「書き込み用レーザービーム１２」、「感光ドラム１８」、「ダイオード光源９０」、「回転多面体１４」、「多面鏡３２」、「円柱状レンズ３６及び鏡システム３８」は、それぞれの機能に照らしそれぞれ、訂正後発明２の「レーザービーム」、「感光体」、「レーザーアレイ」、「偏向手段」、「分離する手段」、「照射させる手段」に相当する。
　そうすると、訂正後発明６と先願発明とは、
「複数のレーザービームがそれぞれ異なる感光体の露光用であって、レーザービームが一緒に偏向された後に分離され、それぞれ対応する感光体に照射されて画像を形成するレーザービームプリンターにおいて、
　複数のレーザービームを出射するレーザーアレイと、
　該レーザーアレイからの複数のレーザービームを共通に偏向する偏向手段と、
　該偏向手段により偏向された複数のレーザービームを前記複数の感光体の配列方向に関して互いに異なる方向に分離する手段と、
　該分離する手段により分離された複数のレーザービームを前記複数の感光体のそれぞれに照射させる手段とを備えるレーザビームプリンター。」
である点で一致し、先ず次の点で相違する。
　
［相違点］
　複数のレーザービームを出射するレーザーアレイに関して、訂正後発明６は、複数本のレーザービームを一組とし、組とされたレーザービームを照射するレーザー素子の間隔がｒ１とされ、隣接するレーザー素子の間隔がｒ１ とｒ３の二通りがあり、ｒ３＞ｒ１の関係とされているのに対し、先願発明は、複数本のレーザービームを一組とするものではなく、また隣接するレーザー素子の間隔は明らかではない点。
　
  上記相違点について検討するに、先願明細書には、複数本のレーザービームを一組とし、組とされたレーザービームを照射するレーザー素子の間隔がｒ１とされ、隣接するレーザー素子の間隔はｒ１ とｒ３の二通りがあり、ｒ３＞ｒ１の関係とされる点について、記載も示唆もされていない。また、この点は、上記刊行物１乃至３にも、記載も示唆もされておらず、当該技術分野において周知技術ではないから、単なる周知技術の付加であるとはいえず、さらに、この点は、ビーム分離と各色毎のマルチビーム化を同時に実現するための構成である（訂正明細書の段落【００４８】）から、その構成の有無は、課題解決のための具体化手段における微差であるものともいえない。
　したがって、訂正後発明６と先願発明との他の相違点についての検討、判断を示すまでもなく、訂正後発明６は、先願発明と同一であるとはいえない。
　また、訂正後発明６は、上記刊行物１乃至３に記載されたものと同一といえないばかりでなく、これらから当業者が容易に発明をすることができたものともいえない。
　
　なお、異議申立人は、平成１５年２月２７日付け回答書第２頁第４行〜第１３行におて、「ア）訂正請求書において、［ｒ１＜ｒ３］が新たに減縮されました。しかしながら、同時に提出されました異議意見書において、その効果が論ぜられておりません。すなわち、［ｒ１＜ｒ３］を減縮したことによる格別な効果がないのであれば、［ｒ１＜ｒ３］の数値を設定することは、当業者が通常容易になし得る設計的事項に他ならない、と思料いたします。イ）同訂正請求書において、［ｒ１＜ｒ３］が新たに減縮されましたが、複数のレーザービームを出射するレーザーアレイが、全体で（全ての色のレーザーアレイを含んで）１つであるのか否かが明確ではありません。仮に、レーザーアレイが色事に別々であるとすれば、当業者が通常容易になし得る設計的事項に他ならない、と思料いたします。」と主張している。
　しかしながら、上述したように、［ｒ１＜ｒ３］の関係とすることは、当該技術分野において周知の技術ではなく、課題解決のための具体化手段における微差であるともいえない。なお、訂正明細書の段落【００４８】には、「上述したマルチビーム半導体レーザーアレイ４０，４５は、アレイを構成する半導体レーザー素子の間隔が一様ではないので、ビーム分離と各色毎のマルチビーム化を同時に実現することができる。」という［ｒ１＜ｒ３］を減縮したことによる格別な効果が記載されている。
  したがって、異議申立人の上記主張は、採用することができない。
　
（５）むすび
　以上のとおり、本件請求項６に係る発明についての特許は、特許異議申立ての理由によっては取り消すことはできなく、また、他に、本件請求項６に係る発明についての特許を取り消すべき理由を発見しない。
　したがって、本件請求項６に係る発明についての特許は、拒絶の査定をしなければならない特許出願に対してされたものとは認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。 
【異議決定日】
平成１５年５月６日（２００３．５．６）
【訂正の要旨】
▲１▼　特許請求の範囲の減縮を目的として、
　特許請求の範囲を以下の如く訂正する。
（訂正の内容）
　【特許請求の範囲】
　【請求項１】　複数のレーザービームがそれぞれ異なる感光体の露光用であって、レーザービームが一緒に偏向された後に分離され、それぞれ対応する感光体に照射されて画像を形成するレーザービームプリンターにおいて、
　複数のレーザービームを出射するレーザーアレイと、
　該レーザーアレイからの複数のレーザービームを共通に偏向する偏向手段と、
　該偏向手段により偏向された複数のレーザービームを前記複数の感光体の配列方向に関して互いに異なる方向に分離する手段と、
　該分離する手段により分離された複数のレーザービームを前記複数の感光体のそれぞれに照射させる手段とを備え、
　前記分離手段が、前記複数の感光体の数に対応した数の互いに異なった角度の
入射面を有するプリズム
プリンター
　【
請求項２
プリンター
　複数のレーザービームを出射するレーザーアレイと、
　該レーザーアレイからの複数のレーザービームを共通に偏向する偏向手段と、
　該偏向手段により偏向された複数のレーザービームを分離する手段と、
　該分離する手段により分離された複数のレーザービームを前記感光体に照射させる手段と、
　前記レーザーアレイからの複数のレーザービームを前記感光体上に収束させる光学系であって前記レーザーアレイの出射面と前記分離する手段とが光学的に共役である光学系を備えていることを特徴とするレーザービームプリンター。
　【
請求項３
請求項２
　【
請求項４
請求項３
　【
請求項５
プリンター
　複数のレーザービームを出射するレーザーアレイと、
　該レーザーアレイからの複数のレーザービームを共通に偏向する偏向手段と、
　該偏向手段により偏向された複数のレーザービームを分離する手段と、
　該分離する手段により分離された複数のレーザービームの光路中に設けられ前記レーザーアレイから前記複数の感光体までの光路長を一致させるための光路調整手段とを備えていることを特徴とするレーザービーム
プリンター
　【
請求項６
組とされたレーザービームを照射するレーザー素子の間隔がｒ１とされ、隣接するレーザー素子の間隔がｒ１とｒ３の二通りあり、ｒ３＞ｒ１の関係とされており、
プリンター
　複数のレーザービームを出射するレーザーアレイと、
　該レーザーアレイからの複数のレーザービームを共通に偏向する偏向手段と、
　該偏向手段により偏向された複数のレーザービームを前記複数の感光体の配列方向に関して互いに異なる方向に分離する手段と、
　該分離する手段により分離された複数のレーザービームを前記複数の感光体のそれぞれに照射させる手段とを備え、
　同一の感光体に照射されるレーザービームが複数本であることを特徴とするレーザビームプリンター。
　【
請求項７
プリンター
　複数のレーザービームを出射するレーザーアレイと、
　該レーザーアレイからの複数のレーザービームを共通に偏向する偏向手段と、
　該偏向手段により偏向された複数のレーザービームを分離する手段と、
　該分離する手段により分離された複数のレーザービームを前記感光体に照射させる手段と、
　前記レーザーアレイからの複数のレーザービームを前記感光体上に収束させる光学系であって前記レーザーアレイからの出射面と前記分離する手段とが光学的に共役である光学系を備え、
　同一の感光体に照射されるレーザービームが複数本であることを特徴とするレーザービームプリンター。
▲２▼　明瞭でない記載の釈明として、
　段落番号（０００９）を以下の如く訂正する。
（訂正の内容）
　【課題を解決するための手段】
　上記課題を解決するために、本発明は、複数のレーザービームがそれぞれ異なる感光体の露光用であって、レーザービームが一緒に偏向された後に分離され、それぞれ対応する感光体に照射されて画像を形成するレーザービームプリンターにおいて、複数のレーザービームを出射するレーザーアレイと、該レーザーアレイからの複数のレーザービームを共通に偏向する偏向手段と、該偏向手段により偏向された複数のレーザービームを前記複数の感光体の配列方向に関して互いに異なる方向に分離する手段と、該分離する手段により分離された複数のレーザービームを前記複数の感光体のそれぞれに照射させる手段とを備え、前記分離手段が、前記複数の感光体の数に対応した数の互いに異なった角度の
入射面を有するプリズム
（５４）【発明の名称】
レーザービームプリンター
（５７）【特許請求の範囲】
　【請求項１】　複数のレーザービームがそれぞれ異なる感光体の露光用であって、レーザービームが一緒に偏向された後に分離され、それぞれ対応する感光体に照射されて画像を形成するレーザービームプリンターにおいて、
　複数のレーザービームを出射するレーザーアレイと、
　該レーザーアレイからの複数のレーザービームを共通に偏向する偏向手段と、
　該偏向手段により偏向された複数のレーザービームを前記複数の感光体の配列方向に関して互いに異なる方向に分離する手段と、
　該分離する手段により分離された複数のレーザービームを前記複数の感光体のそれぞれに照射させる手段とを備え、
　前記分離手段が、前記複数の感光体の数に対応した数の互いに異なった角度の
入射面を有するプリズム
プリンター
　【
請求項２
プリンター
　複数のレーザービームを出射するレーザーアレイと、
　該レーザーアレイからの複数のレーザービームを共通に偏向する偏向手段と、
　該偏向手段により偏向された複数のレーザービームを分離する手段と、
　該分離する手段により分離された複数のレーザービームを前記感光体に照射させる手段と、
　前記レーザーアレイからの複数のレーザービームを前記感光体上に収束させる光学系であって前記レーザーアレイの出射面と前記分離する手段とが光学的に共役である光学系を備えていることを特徴とするレーザービームプリンター。
　【
請求項３
請求項２
　【
請求項４
請求項３
　【
請求項５
プリンター
　複数のレーザービームを出射するレーザーアレイと、
　該レーザーアレイからの複数のレーザービームを共通に偏向する偏向手段と、
　該偏向手段により偏向された複数のレーザービームを分離する手段と、
　該分離する手段により分離された複数のレーザービームの光路中に設けられ前記レーザーアレイから前記複数の感光体までの光路長を一致させるための光路調整手段とを備えていることを特徴とするレーザービーム
プリンター
　【
請求項６
組とされたレーザービームを照射するレーザー素子の間隔がｒ１とされ、隣接するレーザー素子の間隔がｒ１とｒ３の二通りあり、ｒ３＞ｒ１の関係とされており、
プリンター
　複数のレーザービームを出射するレーザーアレイと、
　該レーザーアレイからの複数のレーザービームを共通に偏向する偏向手段と、
　該偏向手段により偏向された複数のレーザービームを前記複数の感光体の配列方向に関して互いに異なる方向に分離する手段と、
　該分離する手段により分離された複数のレーザービームを前記複数の感光体のそれぞれに照射させる手段とを備え、
　同一の感光体に照射されるレーザービームが複数本であることを特徴とするレーザビームプリンター。
　【
請求項７
プリンター
　複数のレーザービームを出射するレーザーアレイと、
　該レーザーアレイからの複数のレーザービームを共通に偏向する偏向手段と、
　該偏向手段により偏向された複数のレーザービームを分離する手段と、
　該分離する手段により分離された複数のレーザービームを前記感光体に照射させる手段と、
　前記レーザーアレイからの複数のレーザービームを前記感光体上に収束させる光学系であって前記レーザーアレイからの出射面と前記分離する手段とが光学的に共役である光学系を備え、
　同一の感光体に照射されるレーザービームが複数本であることを特徴とするレーザービームプリンター。
【発明の詳細な説明】
　【０００１】
　【産業上の利用分野】
　本発明は、レーザービームプリンターに関し、特に複数の色を印刷することのできるカラーレーザービームプリンターに関する。
　【０００２】
　【従来の技術】
　従来、図２２に示すように複数の走査光学系と複数の電子写真ユニットからなる、いわゆるタンデム型カラーレーザービームプリンターが知られている。図２２において、コロトロン等の帯電器２６ａ〜２６ｄによってそれぞれ帯電された感光体ドラム２１ａ〜２１ｄには、走査光学系２０ａ〜２０ｄによってそれぞれ各色、例えば、シアン、マゼンタ、イエロー、ブラックの潜像画像が描き込まれる。現像器２５ａ〜２５ｄによって潜像を現像することによって得られたトナー画像は、搬送ベルト２３上を搬送されていく紙２２ａ〜２２ｃに転写された後、定着器２４によって定着されてカラー画像を形成する。なお、各感光体ドラム２１ａ〜２１ｄは、クリーナー２７ａ〜２７ｄによってそれぞれ清掃される。
　【０００３】
　タンデム型カラーレーザービームプリンターでは、例えば図２２の例では、４個の走査光学系が必要である。走査光学系の数を減らすことができればコスト削減に大きな効果が期待できる。特にポリゴンスキャナーの数を減らせばコスト削減ばかりでなく、消費電力を低減することもできる。
　【０００４】
　そこで、従来からポリゴンスキャナーの数を減らすための提案がなされている。たとえば、特開昭５８−２３０７４号公報には、四つの感光体を使用するタンデム型カラーレーザービームプリンターにおいて、二つのポリゴンスキャナーを用意し、ポリゴンスキャナーからのレーザービームを切替ミラーにより切り替えることにより、一つのポリゴンスキャナーで二つの感光体を交互に露光する技術が開示されております。
　【０００５】
　また、特開平３−４２６１２号公報には、四つの感光体を使用するタンデム型カラーレーザービームプリンターにおいて、一つのポリゴンスキャナーを用意し、このポリゴンスキャナーの左右両端においてレーザービーを照射して、４本のレーザービームを異なるミラー面で同時に走査する技術が開示されている。
　【０００６】
　しかしながら、上記特開昭５８−２３０７４号公報に記載の装置においては、光路を切替ミラーを機械的に切り替える必要があるので構造が複雑化して装置のコスト高を招くと共に、高い位置精度で感光体を露光することが困難であるという問題があった。また、可動部分があることから信頼性に欠けるという問題があった。
　【０００７】
　また、特開平３−４２６１２号公報に記載の装置においては、ポリゴンスキャナー自体は共通化できるものの、各レーザービームに対する光学系はそれぞれ独立に設けなければならず、光学系を十分小型化することはできないという問題があった。
　【０００８】
　【発明が解決しようとする課題】
本発明の目的は、レーザービームプリンターにおいて複数のビームに対する走査光学系を共用して装置の小型化、低コスト化を図ることである。
　【０００９】
　【課題を解決するための手段】
　上記課題を解決するために、複数のレーザービームがそれぞれ異なる感光体の露光用であって、レーザービームが一緒に偏向された後に分離され、それぞれ対応する感光体に照射されて画像を形成するレーザービームプリンターにおいて、複数のレーザービームを出射するレーザーアレイと、該レーザーアレイからの複数のレーザービームを共通に偏向する偏向手段と、該偏向手段により偏向された複数のレーザービームを前記複数の感光体の配列方向に関して互いに異なる方向に分離する手段と、該分離する手段により分離された複数のレーザービームを前記複数の感光体のそれぞれに照射させる手段とを備え、前記分離手段が、前記複数の感光体の数に対応した数の互いに異なった角度の
入射面を有するプリズム
　【００１０】
　また、本発明は、複数のレーザービームを出射するレーザーアレイと、該レーザーアレイからの複数のレーザービームを共通に偏向する偏向手段と、該偏向手段により偏向された複数のレーザービームを分離する手段と、該分離する手段により分離された複数のレーザービームを前記感光体に照射させる手段と、前記レーザーアレイからの複数のレーザービームを前記感光体上に収束させる光学系であって前記レーザーアレイの出射面と前記分離する手段とが光学的に共役である光学系とを備えていることを特徴とする。
　【００１１】
　また、本発明のレーザービームプリンターは、複数の感光体が用紙搬送経路に沿って配列され各感光体においてレーザービームの露光により画像を形成するレーザービームプリンターにおいて、複数のレーザービームを出射するレーザーアレイと、該レーザーアレイからの複数のレーザービームを共通に偏向する偏向手段と、該偏向手段により偏向された複数のレーザービームを分離する手段と、該分離する手段により分離された複数のレーザービームの光路中に設けられ前記レーザーアレイから前記複数の感光体までの光路長を一致させるための光路長調整手段とを備えていることを特徴とする。
　【００１２】
　また、複数のレーザービームを出射するレーザーアレイと、該レーザーアレイからの複数のレーザービームを共通に偏向する偏向手段と、該偏向手段により偏向された複数のレーザービームを前記複数の感光体の配列方向に関して互いに異なる方向に分離する手段と、該分離する手段により分離された複数のレーザービームを前記複数の感光体のそれぞれに照射させる手段とを備え、同一の感光体に照射されるレーザービームが複数本であることを特徴とする。また、複数のレーザービームを出射するレーザーアレイと、該レーザーアレイからの複数のレーザービームを共通に偏向する偏向手段と、該偏向手段により偏向された複数のレーザービームを分離する手段と、該分離する手段により分離された複数のレーザービームを前記感光体に照射させる手段と、前記レーザーアレイからの複数のレーザービームを前記感光体上に収束させる光学系であって前記レーザーアレイからの出射面と前記分離する手段とが光学的に共役である光学系を備え、同一の感光体に照射されるレーザービームが複数本であることを特徴とする。
　【００１３】
　【作用】
　本発明のレーザービームプリンターにおいては、レーザーアレイからの複数のレーザービームが共通に偏向され、偏向された複数のレーザービームが分離手段により複数の感光体の配列方向に関して互いに異なる方向に分離され、各感光体に照射される。したがって、走査光学系の大部分を複数の感光体に関して共用することができ、装置が小型化される。
　【００１４】
　また、レーザーアレイの出射面と分離する手段とが光学的に共役であるので、レーザーアレイからの複数のレーザービームは、分離する手段において異なった位置に狭い面積に収束し、各レーザービームの分離が容易となる。
　【００１５】
　また、分離する手段により分離された複数のレーザービームの光路中に設けられ光路長調整手段により、レーザーアレイから複数の感光体までの光路長が一致し、各感光体において正確な結像状態を維持して露光を行うことができる。
　【００１６】
　【実施例】
　図１は、本発明の第１実施例のレーザービームプリンターを示す構成図である。図１に示すレーザービームプリンターはタンデム方式カラーレーザービームプリンターである。図において、１は平行に配列された４本のレーザービームを出射する半導体レーザーアレイであり、この半導体レーザーアレイ１より出射した４本のレーザービームは、コリメーター２、シリンドリカルレンズ３、シリンドリカルレンズ５を介してポリゴンミラー４に照射される。なお、半導体レーザーアレイ１よりのレーザービームは、ポリゴンミラー４の回転面で見てミラー１１が配置されている角度とは別の角度からポリゴンミラー４に照射される。ポリゴンミラー４の表面で反射した４本のレーザービームは、再度シリンドリカルレンズ５を通過し、ミラー１１で反射され、Ｆ−θレンズ６を経てビーム分割手段７によってそれぞれ光路を分離される。分離後の各レーザービームは、歪曲収差補正手段１５ａ〜１５ｄ、シリンドリカルレンズ８ａ〜８ｄを経て各感光体２１ａ〜２１ｄを走査する。各感光体２１ａ〜２１ｄは、用紙搬送路に沿って等間隔で配置されている。また、内側の二つの感光体２１ｂ，２１ｃを走査する二つのレーザービームの光路中には、それぞれミラー１２ａ，１３ａ，１２ｂ，１３ｂからなる光路長調整機構が設けられている。この光路長調整機構は、内側の二つの感光体２１ｂ，２１ｃを走査する二つのレーザービームの光路を折り畳んで、レーザーアレイ１から各感光体２１ａ〜２１ｄまでの光路長を一致させるためのものである。このように光路長を一致させることにより、各感光体２１ａ〜２１ｄ上での結像は正確に行われる。なお、ポリゴンミラー４によって走査される方向を主走査方向、主走査方向に垂直な方向、すなわち、感光体２１ａ〜２１ｄの移動方向を副走査方向と呼ぶ。
　【００１７】
　上記ビーム分割手段７は、たとえば、図２に示されるようなプリズム型反射鏡３０でから構成されている。このプリズム型反射鏡３０は、Ｆ−θレンズ６の光軸に対して互いに異なった角度の四つの反射面３０ａ〜３０ｄを有している。Ｆ−θレンズ６からの４本の平行なレーザービームは、この四つの反射面３０ａ〜３０ｄにより、それぞれ異なった方向に反射される。図１に示す例では、四つの反射面３０ａ〜３０ｄの角度は、反射した４本のレーザービームのうちの２本づつが入射軸に対称となるように設定されている。
　【００１８】
　また、上記歪曲収差補正手段１５ａ〜１５ｄは、図３に模式的に示すような、感光体面１０に対して角度調整が可能な平行平板ガラス１５である。但し、図３においては、理解を容易にするために、ポリゴンミラー４から感光体面１０までの光路を展開して図示している。
　【００１９】
　図４は、本発明の第１実施例のレーザービームプリンターの走査光学系の光軸を含む平面における展開図を示す。同図（ａ）は副走査方向の展開図、同図（ｂ）は主走査方向の展開図に対応する。図４に示されるように、シリンドリカルレンズ３，５は、副走査方向にのみ倍率を有しており、半導体レーザーアレイ１の出射面からの４本のレーザービームは、コリメーター２及びシリンドリカルレンズ３によりポリゴンミラー４上で収束し、次に、シリンドリカルレンズ５及びＦ−θレンズ６によりビーム分割手段７上で収束する。すなわち、副走査方向においては、半導体レーザーアレイ１のレーザービーム出射面とポリゴンミラー４は光学的共役関係にある。これは、いわゆるアナモルフィック光学系でポリゴンミラーの面倒れ補正のための光学系である。また、ポリゴンミラー４とビーム分割手段７とが光学的共役関係になっている。したがって、図２に示すように、ビーム分割手段７を構成するプリズム型反射鏡３０の位置で各レーザービームは、互いに異なった位置において狭い面積に収束する。これにより、プリズム型反射鏡３０の各反射面３０ａ〜３０ｄで、４本のレーザービームを容易に分離することができる。さらに、ビーム分割手段７と感光体面１０とが光学的共役関係になっている。
　【００２０】
　一方、主走査方向では、図４（ｂ）に示すように、半導体レーザーアレイ１から出射したレーザービームは、コリメーター２により平行ビームに変えられた後、Ｆ−θレンズ６によって感光体面１０に結像される。
　【００２１】
　上記半導体レーザーアレイ１のアレイ間隔ｒ１は、１００μｍから１０００μｍ程度が適当であり、特に５００μｍ前後が好ましい。１００μｍより小さいとビームの分離が困難になり、また、半導体レーザーのアレイの製造が困難になるという不都合があり、１０００μｍより大きいと半導体レーザーアレイのデバイスサイズが大きくなり過ぎてコスト上昇を招くというという不都合がある。また、Ｆ−θレンズ６の焦点距離は、２００ｍｍから４００ｍｍが望ましい。２００ｍｍより短いと十分な走査幅が得られないという不都合があり、４００ｍｍより長いと所定のスポット径にビームを絞り込むためにポリゴンの径が大きくなってしまうという不都合がある。半導体レーザーアレイ１のレーザービーム出射面から感光体面１０への投影倍率は、１０倍前後である。
　【００２２】
　次に、レーザービームがＦ−θレンズ６の光軸に対して斜めに入射することに起因する画像の歪みについて検討する。
　【００２３】
　Ｆ−θレンズ６の光軸に対して斜めに入射するレーザービームによって走査される走査線は、図５に示すように、歪曲収差のため結像面、すなわち、感光体面１０では弓状の曲りが生じることが知られている（例えば、特開昭５６−１６１５６号公報、あるいは、Ｋ．Ｍｉｎｏｕｒａ，Ｍ．Ｓｕｚｕｋｉ，Ｓ．Ｍｉｙａｚａｗａ，ＳＰＩＥ　Ｐｒｏｃ．，Ｖｏｌ．１０７９，ｐ４６２−ｐ４７４（１９８９）参照）。この走査線に曲がりが生じる現象は、複数のレーザービームで感光体面１０を一括走査するマルチビームレーザープリンターでは大きな問題である。図１に示した本発明の第１実施例では、個々の電子写真ユニットについてはマルチビーム走査とはなっていないものの、同一のＦ−θレンズ６に複数のレーザービームが異なる角度で入射するため、走査線の弓状の曲りの問題が生じてしまう。
　【００２４】
　次に、この走査線の弓状の曲りを補正する手段について説明する。先に図３を参照して説明したように、平行平板ガラス１５に斜めに入射するレーザービームによって走査される走査線は、歪曲収差を受けて弓状の曲りが生じることが知られている。この場合、レーザービームの入射角度によって歪曲収差の符号及び量が変化する（久保田広著「光学」岩波書店（１９６４）のｐ１３１−ｐ１３３参照）。したがって、ビーム分割手段７の後方で個々のレーザービームに角度調整が可能な平行平板ガラスからなる歪曲収差補正手段１５ａ〜１５ｄを設ければ、Ｆ−θレンズ６によって生じる走査線の弓状の曲りを打ち消すことができる。図１に示した本発明の第１実施例では、この原理に基づいて走査線の弓状の曲りを補正している。
　【００２５】
　次に、ビーム分割手段７の配置位置について検討する。図６は、感光体ドラム２１ａ〜２１ｄとビーム分割手段７との配置関係を示す説明図である。なお、符号２０は、半導体レーザーアレイ１からＦ−θレンズ６までの光学系を走査光学系としてまとめて図示したものである。
　【００２６】
　ビーム分割手段７の位置は、４つの感光体ドラム２１ａ〜２１ｄの内、最も遠く離れた感光体ドラム２１ａと感光体ドラム２１ｄの被露光点の間隔をＬとした場合、その中線前後Ｌ／６の範囲（斜線で示す）、すなわち、中央の二つの感光体ドラム２１ｂ，２１ｃの各軸心の間の範囲が望ましく、特に前記中線上に位置するのが好ましい。これは、ビーム分割手段７によって分けられたレーザービームの光路の差をなるべく小さくするためである。この理由により、図１に示される本発明の第１実施例では、前記中線上に設けられている。なお、図６では感光体ドラムが４つの場合を示したが、感光体ドラムの数は２つ以上のいくつであってもかまわないことは言うまでもない。
　【００２７】
　上記の第１実施例においては、レーザービームがビーム分割手段７で収束するようにしたが、図７に示す変形例ように、ビーム分割手段７に平行ビームが入射する構成としても良い。図７は、この本発明の第１実施例の変形例の光学系の光軸を含む平面における展開図である。この場合、ビーム分割手段７では、図８に示すように、各平行ビームがプリズム型反射鏡３０の各反射面に照射され、平行状態を維持したまま各ビームの光路が変えられてビームの分離が行われる。
　【００２８】
　また、ビーム分割手段７は先に説明した構造に限定されるものではなく、様々な光学的手段を用いることができる。例えば、図９に示すような、レーザービームの数に対応した数の互いに異なった角度の入射面を有するプリズム３１と４枚のミラー３１ａとを組み合わせた構成としてもよく、或いは、図１０に示すような回折格子アレイ３２（同図（ａ））、レンズアレイ３３（同図（ｂ））、凹面鏡アレイ３４（同図（ｂ））等を用いても良い。また図１０では平行ビームの分離の例を示したが、適切に設計すれば収束光を用いることもできる。
　【００２９】
　図１１は、本発明の第２実施例のレーザービームプリンターを示す構成図である。また図１２は、本発明の第２実施例の光軸を含む平面での展開図を示す。同図（ａ）は副走査方向の展開図、同図（ｂ）は主走査方向の展開図に対応する。なお、第１実施例と対応する部材等には同一符号を付している。本実施例では、Ｆ−θレンズ６ａ〜６ｄを、各電子写真ユニットすなわち各感光体ごとに設けた構成となっている。この構成では、各Ｆ−θレンズ６ａ〜６ｄの光軸に垂直にレーザービームを入射させることができるので、第１実施例の場合のような走査線の弓状の曲りが生じることはない。このため、第１実施例に用いたような歪曲収差補正手段１５ａ〜１５ｄは不用である。
　【００３０】
　また、図１３に示すように、ビーム分割手段１６は、３個のプリズム型反射鏡３５ａ〜３５ｃから構成されている。但し、この構成に限定されるものではなく、図９及び図１０に示した様々な光学的手段等を組み合せて構成することができる。
　【００３１】
　なお、本発明で使用した走査光学系は、ひとつの感光体ドラムに複数回の走査露光を行う方式のいわゆるワンパス多色カラー方式のレーザービームプリンター（例えば、片岡、斉藤、山下、梶村、相木、「半導体レーザーアレイの高速及び多色レーザープリンタへの応用」、昭和５７年度電子通信学会総合全国大会（春季）、１１００（１９８２）、特開昭５６−１６１５６６号公報、及び特開平４−１１４１２０号公報参照）に適用することもできる。
　【００３２】
　ワンパス多色カラー方式のレーザービームプリンターの構成例を図１４に示す。
　【００３３】
　図１４において、半導体レーザーアレイ１から出射した２本のレーザービームは、コリメーター２、シリンドリカルレンズ３、ミラー１１、シリンドリカルレンズ５を介してポリゴンスキャナー４に照射される。ポリゴンスキャナー４で反射した２本のレーザービームは、シリンドリカルレンズ５、ミラー１１、Ｆ−θレンズ６を経て、図２ないし図１３に示したビーム分離手段７に供給される。そしてこのビーム分離手段７によって光路が分離されて感光体ドラム２１の別々の箇所を露光する。半導体レーザーアレイ１から出射した一方のレーザービームは黒、他方のレーザービームは赤の画像を描画し、それぞれ現像器２５ａ、２５ｂによってそれぞれの色、たとえば、黒と赤に現像される。なお、このワンパス多色方式のレーザービームプリンターでは、例えば、現像器２５ａを反転現像、現像器２５ｂを正転現像としそれぞれの現像バイアス電圧を変えるなどしてふたつの色の混色を防いでいる。
　【００３４】
　図１４に示す例では、従来使用されていた個別のミラーに代えてプリズム型反射鏡等のビーム分離手段７を用いることにより個別のミラーの調整等を行う必要がなくなりビームの分離が容易になる。
　【００３５】
　上述した図１、図１１に示したタンデム型カラーレーザービームプリンターのにおいては、各感光体面をそれぞれ１本のレーザービームで露光したが、各感光体面を２本のレーザービームで露光することもできる。
　【００３６】
　以下、このマルチビームを使用したタンデム型カラーレーザービームプリンターにおいて使用されるマルチビーム半導体レーザーアレイの構造例について説明する。
　【００３７】
　図１５は、マルチビーム半導体レーザーアレイ４０の平面図を示す。マルチビーム半導体レーザーアレイ４０を構成する、基板４０ａ上に形成された半導体レーザー素子４１ａ〜４４ａ，４１ｂ〜４４ｂは、２個ずつ４組のグループに分けられて配列されている。例えば、半導体レーザー素子４１ａと４１ｂでひとつのグループを形成している。グループ内では半導体レーザー素子はｒ１の間隔で並び、各グループはｒ２の間隔（周期）で並んでいる。隣接する半導体レーザー素子の間隔はｒ１とｒ３の二通りがあり、ｒ３＞ｒ１である。
　【００３８】
　図１６は、図１５に示されるマルチビーム半導体レーザーアレイ４０が適用されたタンデム型カラーレーザービームプリンターの概略構成図を示す。図１６に示したカラーレーザービームプリンターおいては、８本のレーザービームが束となって伝送されており図１７に示すように、ビーム分割手段７によって、２本ずつのレーザービームのグループ毎にそれぞれ光路を分離されている点を除いて図１に示される実施例と同様である。
　【００３９】
　図１５に示されるマルチビーム半導体レーザーアレイ４０では、グループ内の半導体レーザー素子間隔ｒ１＝１４μｍであり、各グループの間隔（周期）ｒ２＝５００μｍである。
　【００４０】
　図１８は、図１６に示されるタンデム型カラーレーザービームプリンターの光学系の光軸を含む平面における展開図を示す。同図（ａ）は副走査方向の展開図、同図（ｂ）は主走査方向の展開図に対応する。図１８は先に説明した図４に対応しており、各感光体２１ａ〜２１ｄを照射するレーザービームの本数が１本ではなく２本であり、各感光体面１０上ではそれぞれ２本ずつのレーザービームが公知の飛び越し走査によって走査されている点のみが異なっているので、詳細な説明は省略する。
　【００４１】
　上記のように、図１６に示されるタンデム型カラーレーザービームプリンターでは、各感光体２１ａ〜２１ｄをそれぞれ２本ずつのレーザービームでマルチビーム走査することができるので、高速或いは高解像度で画像を形成することがでりる。しかも、一組のポリゴンスミラー４とＦ−θレンズ６によって４系統の走査露光を行うことができる。
　【００４２】
　図１９は、図１５に示されるマルチビーム半導体レーザーアレイとは構造が異なるマルチビーム半導体レーザーアレイ４５を使用したタンデム型カラーレーザービームプリンターの概略構成図を示す。図１９に示すカラーレーザービームプリンターと図１６に示すカラーレーザービームプリンターは次のような点が異なる。すなわち、図１５に示されるマルチビーム半導体レーザーアレイとは素子間隔が異なるマルチビーム半導体レーザーアレイ４５を使用したこと、マルチビーム半導体レーザーアレイ４５とコリメーターレンズ２の間にマイクロレンズアレイ１７を設けたことと、各感光体面１０上では飛び越し走査を行っていないことである。
　【００４３】
　マルチビーム半導体レーザーアレイ４５とマイクロレンズアレイ１７の部分を図２０に拡大して示す。マルチビーム半導体レーザーアレイ４５を構成する基板４５ａ上に形成された半導体レーザー素子４６ａ〜４９ａ，４６ｂ〜４９ｂは、２個ずつ４組のグループに分けられて配列されている。例えば、半導体レーザー素子４６ａと４６ｂでひとつのグループを形成している。グループ内では半導体レーザー素子はｒ１の間隔で並び、各グループはｒ２の間隔（周期）で並んでいる。隣接する半導体レーザー素子の間隔はｒ１とｒ３の二通りがあり、ｒ３＞ｒ１である。
　【００４４】
　図２０に示すように、マルチビーム半導体レーザーアレイ４５のレーザービーム出射点の実像がマイクロレンズアレイ１７に対して右側に投影される。マルチビーム半導体レーザーアレイ４５の半導体レーザー素子間隔ｒ１とマイクロレンズの間隔ｒ４はｒ１＞ｒ４という関係になっているので、レーザービーム出射点の実像の間隔ｒ１’が元の出射点間隔ｒ１より小さくなる。このため、感光体面上での結像スポット間隔を近接させることができ、飛び越し走査を行わないマルチビーム走査が可能となる。
　【００４５】
　上記の構成によれば、同一の感光体をマルチビーム走査するためのグループを形成しているビームの仮想出射点間隔は近接させながら、グループ間隔は元のままに維持することができるので、レーザービーム群の分離も容易になる。
　【００４６】
　なお、図２０に示す構成において、マルチビーム半導体レーザーアレイ４５とマイクロレンズアレイ１７の間にリレーレンズを設けても良い。図２０の構成を実現しようとする場合、マイクロレンズアレイ１７のマイクロレンズの焦点距離が短いため、マルチビーム半導体レーザーアレイ４５とマイクロレンズアレイ１７を一体に組込まなければならない。これに対して、リレーレンズを設けることによって、マルチビーム半導体レーザーアレイ４５とマイクロレンズアレイ１７の間隔を離すことができ、実装が容易になる。
　【００４７】
　このようにリレーレンズを設ける場合、半導体レーザー素子のグループ毎にリレーレンズを設けることが望ましい。これは、ひとつのリレーレンズでマルチビーム半導体レーザーアレイ４５の全てのレーザービーム出射点を投影すると、リレーレンズに要求される画角が広くなり、リレーレンズの光軸から外れたビームに対する収差が大きくなるからである。具体的には、図２１に示すように、マルチビーム半導体レーザーアレイ４５とマイクロレンズアレイ１７の間にリレーマイクロレンズアレイ１８を設けると良い。リレーマイクロレンズアレイ１８のレンズ間隔は、マルチビーム半導体レーザーアレイ４５のグループ間隔ｒ２に一致している。
　【００４８】
　上述したマルチビーム半導体レーザーアレイ４０，４５は、アレイを構成する半導体レーザー素子の間隔が一様ではないので、ビーム分離と各色毎のマルチビーム化を同時に実現することができる。より具体的には、複数個の前記半導体レーザー素子からなるグループ内では半導体レーザー素子の間隔ｒ１を狭くしてマルチビーム化を容易にする一方、該グループ同士の間隔ｒ２は広くして各色用のレーザービーム群の分離を容易にしたものである。特に半導体レーザー素子の間隔ｒ１とグループ同士の間隔ｒ２の比をｒ２／ｒ１≧５となる関係を満たすようにすることにより、マルチビーム化とレーザービーム群の分離を両立させることができる。
　【００４９】
　上記のマルチビーム半導体レーザーアレイを、タンデム型レーザービームプリンターあるいは、ワンパス多色カラー方式のレーザービームプリンターに適用することにより、印刷速度が速く、高精彩度の小型で低コストかつ低消費電力のレーザービームプリンターが実現できる。また、マルチビーム半導体レーザーアレイとマイクロレンズアレイを対応させて設けることにより、レーザービーム群の分離をさらに容易に行うことができる。
　【００５０】
　【発明の効果】
　以上説明したように、本発明によれば、タンデム型カラーレーザービームプリンターの光学系を共通化できる。したがって、装置の小型化及び低コスト化を実現することができる。また、ポリゴンスキャナーを共通化できることから消費電力を低減させることもできる。
【図面の簡単な説明】
　【図１】　本発明の第１実施例のレーザービームプリンター概略構成図である。
　【図２】　プリズム型反射鏡による収束光のビーム分離を示す図である。
　【図３】　平行平板ガラスによって歪曲収差が生じることを示す概略図である。
　【図４】　本発明の第１実施例の走査光学系を光軸を含む面で展開した図である。
　【図５】　Ｆ−θレンズによって走査線に曲りが生じることを示す概略図である。
　【図６】　ビーム分離手段の望ましい位置の範囲を示す概略図である。
　【図７】　本発明の第１実施例のレーザービームプリンターの変形例の走査光学系を光軸を含む面で展開した図である。
　【図８】　プリズム型反射鏡による平行光のビーム分離を示す図である。
　【図９】　プリズムによるビーム分離を示す図である。
　【図１０】　アレイ化した光学的手段によるビーム分離を示す図である。
　【図１１】　本発明の第２実施例のレーザービームプリンターの概略構成図である。
　【図１２】　本発明の第２実施例の走査光学系を光軸を含む面で展開した図である。
　【図１３】　複数のプリズム型反射鏡を組み合せて構成したビーム分離手段を示す図である。
　【図１４】　本発明の第３実施例のレーザービームプリンターの概略構成図である。
　【図１５】　マルチビーム半導体レーザーアレイの構造例を示す平面図である。
　【図１６】　図１５に示されるマルチビーム半導体レーザーアレイを使用したタンデム型カラーレーザービームプリンターの概略構成図である。
　【図１７】　図１６に示されるタンデム型カラーレーザービームプリンターにおけるプリズム型反射鏡による収束光のビーム分離を示す図である。
　【図１８】　図１６に示されるタンデム型カラーレーザービームプリンターの光学系を光軸を含む面で展開した図である。
　【図１９】　タンデム型カラーレーザービームプリンターの他の構成例の概略構成図である。
　【図２０】　図１９のマルチビーム半導体レーザーアレイマイクロレンズアレイの部分の拡大図である。
　【図２１】　マルチビーム半導体レーザーアレイとマイクロレンズアレイの間にリレーマイクロレンズアレイを設けた変形例を示す拡大図である。
　【図２２】　タンデム型カラーレーザービームプリンターの従来例の概略構成図である。
　【符号の説明】
　１…半導体レーザーアレイ、１ａ〜１ｂ…半導体レーザー素子、２…コリメーター、３…シリンドリカルレンズ、４…ポリゴンミラー、５…シリンドリカルレンズ、６、６ａ〜６ｄ…Ｆ−θレンズ、７…ビーム分離手段、８……シリンドリカルレンズ、９…ミラー、１０…感光体面、１１…ミラー、１２ａ，１２ｂ，１３ａ，１３ｂ…ミラー、１４…ミラー、１５…平行平板ガラス、１５ａ〜１５ｄ…歪曲収差補正手段、１６…ビーム分離手段、１７…マイクロレンズアレイ、１８…リレーレンズアレイ、２０，２０ａ〜２０ｄ…走査光学系、２１，２１ａ〜２１ｄ…感光体ドラム、２２ａ〜２２ｃ…紙、２３…搬送ベルト、２５ａ〜２５ｄ…現像器、２６ａ〜２６ｄ…帯電器、２７ａ〜２７ｄ…クリーナー、３０…プリズム型反射鏡、３１…プリズム、３２…回折格子アレイ、３３…レンズアレイ、３４…凹面鏡アレイ、３５ａ〜３５ｃ…プリズム型反射鏡、４０…半導体レーザーアレイ、４０ａ…基板、４１ａ〜４４ａ，４１ｂ〜４４ｂ……半導体レーザー素子、４５…半導体レーザーアレイ、４５ａ…基板、４６ａ〜４９ａ，４６ｂ〜４９ｂ……半導体レーザー素子、５０…基板、５１ａ〜５４ａ，５１ｂ〜５４ｂ…マイクロレンズ、６０…基板、６１ａ〜６４ａ，６１ｂ〜６４ｂ…リレーマイクロレンズ